(57)【要約】【課題】時間、労力を掛けず、スマートに見知らぬ人と出会えるようにするために、ユーザの日常の予定に出会いの機会を付加することを特徴とする出会いを支援するシステムを提供することである。【解決手段】ユーザ同士の予定をマッチングさせ、予定の条件の合致したユーザ同士が互いに誘い合える機能を提供する出会い支援システムは、ユーザが端末上で入力した予定情報をホストコンピュータ４に送信し、データベース５に保存するステップ２０１、２０２と、ホストコンピュータ４がユーザの予定情報と条件が合致する他ユーザの予定情報を各ユーザのユーザ端末１に送信するステップ２０３を有する。【選択図】図４
2019028963.tif 000002
【特許請求の範囲】
【請求項１】
ユーザ端末に内蔵されたユーザインターフェースを有するユーザエージェントと、前記ユーザエージェントでユーザが入力したデータを格納するデータベースと、前記ユーザエージェントと前記データベース間のデータの送受信を司るホストコンピュータとから成る、ユーザが前記ユーザエージェントで入力したユーザ情報を、前記ホストコンピュータを介して前記データベースに保存する仕組みと、ユーザが前記ユーザエージェントで入力した日時と、場所または目的を内包する予定情報を、前記ホストコンピュータを介して前記データベースに保存する仕組みと、前記ホストコンピュータが、多くの予定情報が格納されている前記データベース内からユーザの予定情報と条件が合致する他ユーザの予定情報を抽出し、抽出された予定情報をユーザの端末に送信する仕組みと、前記ホストコンピュータから送られてきたユーザの予定情報の条件に合致した他ユーザの予定情報の詳細をユーザが前記ユーザエージェントにおいて確認できる仕組みを有することを特徴とするユーザの予定をマッチングする出会い支援システム。
【請求項２】
ユーザが、ユーザの予定情報と条件が合致した他ユーザの予定情報の主である他ユーザの端末に、前記ユーザエージェントから前記ホストコンピュータを介して予定の共有の打診を送信する仕組みと、他ユーザから送信された予定の共有の打診を前記ユーザエージェントが受信する仕組みと、ユーザが前記ユーザエージェントにおいて、他ユーザから届いた予定の共有の打診に対する応答を、前記ホストコンピュータを介して他ユーザの端末に送信する仕組みを有することを特徴とする請求項１記載のユーザの予定をマッチングする出会い支援システム。
【請求項３】
ユーザが前記ユーザエージェントにおいて他ユーザの予定情報を確認する際に、他ユーザの予定情報に内包されている他ユーザの画像または動画を端末上にわずかな時間しか表示させない仕組みと、ユーザの端末上に画像または動画が表示されたのを契機にユーザエージェントが、その画像または動画が内包されている他ユーザの予定情報の中にある各予定情報を識別するための識別キーを、画像または動画表示済み情報としてデータベースに保存する仕組みと、ユーザが前記ユーザエージェントにおいて他ユーザの予定情報を確認しようとする度に、前記データベースの前記画像または動画表示済み情報の中にユーザが確認しようとしている他ユーザの予定情報の識別キーの存在を調べ、識別キーがあれば、端末上に表示される他ユーザの予定情報から画像または動画を除外する仕組みを有することを特徴とする請求項１記載のユーザの予定をマッチングする出会い支援システム。
【請求項４】
ユーザが前記ユーザエージェントにおいて他ユーザの予定情報を確認する際に、端末上に表示される他ユーザの画像または動画の上に、前記ユーザ情報に内包されているユーザのプライバシーに関わる情報を表示させる仕組みを有することを特徴とする請求項１記載のユーザの予定をマッチングする出会い支援システム。
【発明の詳細な説明】
【技術分野】
【０００１】本発明は、見知らぬ人と予定を共有することを支援する出会い支援システムに関するものである。
【背景技術】
【０００２】従来の、見知らぬ人と予定を共有することを支援する出会い支援システムは、見知らぬ人との出会いを求める人を集めるイベントを紹介するウェブサイトや、ユーザ同士が互いの情報を確認し、双方が相手方を気に入れば、会う日程を決めるといったアプリケーションなどがある。
【先行技術文献】
【特許文献】
【０００３】
【特許文献１】特開２０００−２４２６５７号公報
【０００４】
【特許文献２】特開２００４−２６４９８６号公報
【発明の概要】
【発明が解決しようとする課題】
【０００５】前述した従来のサービスでは、以下に述べるような問題点が存在する。
（１）前記ウェブサイトで紹介されるイベントは、主催者側が規定した日時や場所に従う必要がある。イベントの多くが集客の見込める都市部で行われるため、住宅地に住むイベント参加者はイベント開催地に到達するまでの移動時間や交通料を失うことになる。また、地方によっては最も近いイベントであっても遠すぎて参加を諦めるといったことも起こり得る。【０００６】（２）イベントは少なくない人が集まるため、人見知りの人、話が苦手な人、および自分に自信の無い人は二の足を踏んでしまう。【０００７】（３）イベントは事前に参加者の情報が明かされないため、イベント会場に求めている人がいないといったことも起こり得る。【０００８】（４）前記ユーザ同士を引き合わせるアプリケーションは、会いたい他のユーザを探し、見つかればそのユーザにメッセージを送り、返事があればメッセージの交換を重ね、ある程度互いを知り合ったところで会う約束に至る、といったように、実際に会うまでに少なくない時間と手間を要すのが通常である。メッセージの交換を重ねた末に会うまでに至らないといったことがあるのも、時間と手間を要すのに拍車を掛けている。【０００９】（５）ユーザ同士を引き合わせるアプリケーションでは、他のユーザの目に留まるようにユーザ自身の画像または動画をプロフィール情報に掲載して公開したり、会う約束をする前に互いの容姿を確認するためにメールなどの通信技術で画像または動画を送りあったりすることがあるが、自身の画像または動画を公開したり、見知らぬ人物に渡すのは、インターネット上に拡散されるといった危険性がある。どんなに匿名性を重視したアプリケーションでも、公開した画像または動画によって知人に自分だと特定される可能性があるというのも、ユーザが画像または動画を公開しない理由となっている。容姿の確認の取れないユーザと会いたがらないユーザは少なくないため、画像または動画の公開や受け渡しを避ける人は不利だと考え、アプリケーションの使用を諦めることになる。【００１０】本発明は上記のような従来技術の問題点に鑑みて、ユーザの予定や都合を最優先にした、画像または動画の人物の特定およびインターネット上への拡散を抑止する仕組みを有した出会い支援システムを提供することを目的とするものである。
【課題を解決するための手段】
【００１１】上記目的を達成するために、本発明のユーザの予定をマッチングする出会い支援システムは、ユーザ端末に内蔵されたユーザインターフェースを有するユーザエージェントと、前記ユーザエージェントでユーザが入力したデータを格納するデータベースと、前記ユーザエージェントと前記データベース間のデータの送受信を司るホストコンピュータとから成る、ユーザが前記ユーザエージェントで入力したユーザ情報（表１）を、前記ホストコンピュータを介して前記データベースに保存する仕組みと、ユーザが前記ユーザエージェントで入力した日時と、場所または目的を内包する予定情報（表２）を、前記ホストコンピュータを介して前記データベースに保存する仕組みと、前記ホストコンピュータが、多くの予定情報が格納されている前記データベース内からユーザの予定情報と条件が合致する他ユーザの予定情報を抽出し、抽出された予定情報をユーザの端末に送信する仕組みと、前記ホストコンピュータから送られてきたユーザの予定情報の条件に合致した他ユーザの予定情報の詳細をユーザが前記ユーザエージェントにおいて確認できる仕組みを有することを特徴とする。【００１２】ユーザの予定をマッチングする出会い支援システムは、ユーザが、ユーザの予定情報と条件が合致した他ユーザの予定情報の主である他ユーザの端末に、前記ユーザエージェントから前記ホストコンピュータを介して予定の共有の打診を送信する仕組みと、他ユーザから送信された予定の共有の打診を前記ユーザエージェントが受信する仕組みと、ユーザが前記ユーザエージェントにおいて、他ユーザから届いた予定の共有の打診に対する応答を、前記ホストコンピュータを介して他ユーザの端末に送信する仕組みを有することを特徴とする。【００１３】ユーザの予定をマッチングする出会い支援システムは、ユーザが前記ユーザエージェントにおいて他ユーザの予定情報を確認する際に、他ユーザの予定情報に内包されている他ユーザの画像または動画を端末上にわずかな時間しか表示させない仕組みと、ユーザの端末上に画像または動画が表示されたのを契機にユーザエージェントが、その画像または動画が内包されている他ユーザの予定情報の中にある各予定情報を識別するための識別キーを、画像または動画表示済み情報（表３）としてデータベースに保存する仕組みと、ユーザが前記ユーザエージェントにおいて他ユーザの予定情報を確認しようとする度に、前記データベースの前記画像または動画表示済み情報の中にユーザが確認しようとしている他ユーザの予定情報の識別キーの存在を調べ、識別キーがあれば、端末上に表示される他ユーザの予定情報から画像または動画を除外する仕組みを有することを特徴とする。【００１４】ユーザの予定をマッチングする出会い支援システムは、ユーザが前記ユーザエージェントにおいて他ユーザの予定情報を確認する際に、端末上に表示される他ユーザの画像または動画の上に、前記ユーザ情報に内包されているユーザのプライバシーに関わる情報を表示させる仕組みを有することを特徴とする。
【発明の効果】
【００１５】本発明によれば、ユーザ同士の予定をマッチングさせることで、友人との食事や一人でいる時間など、日常生活の中に見知らぬ人との出会いを提供することができる。また、先に存在する予定に出会いの機会を付加するという性格のシステムであることから、ユーザはこれまでの純然に出会いを目的とする出会い支援システムに比べ、気軽に使用できる。【００１６】また、本発明によれば、予定情報に載せる画像または動画は、他ユーザの端末において、一度だけわずかな時間しか表示されないので、ユーザが自身の知人に自分の画像または動画を見られても、ユーザ本人だと確信を持たれる可能性が低く心配も少ない。また、他ユーザの端末に表示されるユーザの画像または動画の上には他ユーザのプライバシーに関わる情報が表示されるので、他ユーザは画像または動画をインターネット上に拡散しづらい。
【図面の簡単な説明】
【００１７】
【図１】本発明による出会い支援システムの基本要素の構成図である。
【図２】図１におけるユーザエージェントの一例を示す構成図である。
【図３】ユーザ情報（表１）の登録処理の構成図である。
【図４】本発明の一実施例を示す予定情報（表２）の登録、および予定情報の条件に合う他ユーザの予定受信処理の構成図である。
【図５】図３、図４のユーザエージェント内部の処理の構成図である。
【図６】図３、図４の他ユーザエージェント内部の処理の構成図である。
【図７】本発明の一実施例を示す他ユーザ予定情報内の画像または動画の表示処理の構成図である。
【図８】図７のユーザエージェント内部の処理の構成図である。
【図９】本発明の一実施例を示す他ユーザへの予定共有の打診、および他ユーザからの応答処理の構成図である。
【図１０】図９のユーザエージェント内部の処理の構成図である。
【図１１】図９の他ユーザエージェント内部の処理の構成図である。
【図１２】ユーザ間のメッセージ交換処理の構成図である。
【図１３】図１２のユーザエージェント内部の処理の構成図である。
【図１４】図１２の他ユーザエージェント内部の処理の構成図である。
【発明を実施するための形態】
【００１８】以下、本発明の実施の形態を図面に基づいて説明する。
【００１９】実施の形態の詳細として、図１、図２を用いて各モジュールの説明をする。
図１は、本発明による出会い支援システムの基本要素の構成図である。
また、図２は、図１におけるユーザエージェントの一例を示す構成図である。
【００２０】図１において、本システムは、ユーザ端末１に内蔵されたユーザインターフェースを有するユーザエージェント２と、インターネット空間３上にある、前記ユーザエージェントでユーザが入力したデータを格納するデータベース５と、前記ユーザエージェント２と前記データベース５間のデータの送受信を司るホストコンピュータ４とから構成される。本システムは、ユーザエージェント２とホストコンピュータ４との通信によって、ユーザ情報（表１）、予定情報（表２）、画像または動画表示済み情報（表３）をデータベース５に格納する。
【００２１】ユーザ情報は、下記表１に示し、ユーザＩＤ、ニックネーム、電話番号またはメールアドレスであって良い。
【表１】
2019028963.tif 000003
【００２２】予定情報は、下記表２に示し、ユーザＩＤ、予定ＩＤ、開始年月日、開始時間、終了年月日、終了時間、都道府県、街、場所または目的、支払い、メンバー、画像または動画、一言メッセージ、希望人数、希望性別、希望年代であって良い。
【表２】
2019028963.tif 000004
【００２３】画像または動画表示済み情報は、下記表３に示し、ユーザＩＤ、他ユーザ予定情報のユーザＩＤ、他ユーザ予定情報の予定ＩＤであって良い。
【表３】
2019028963.tif 000005
【００２４】図２のユーザ情報管理部１１は、ユーザがユーザ情報を入力するユーザインターフェースを備え、入力されたユーザ情報をホストコンピュータ４に送信し、データベース５に保存する。また、ユーザエージェント起動時にはデータベース５からホストコンピュータ４を介し、ユーザ情報を受信する。ユーザ情報を常時、端末のメモリ上に保持する。
【００２５】図２の予定情報管理部１２は、ユーザが予定情報を入力するユーザインターフェースを備え、入力された予定情報をホストコンピュータ４に送信し、データベース５に保存する。また、ユーザエージェント起動時にはデータベース５からホストコンピュータ４を介し、ユーザに関わる予定情報を受信する。予定情報を常時、端末のメモリ上に保持する。端末のメモリ上に保持してある予定情報を一覧表示するユーザインターフェースを備える。ユーザの予定情報の条件と合致する他ユーザの予定情報を一覧表示するユーザインターフェース（前記予定情報一覧内の一予定情報を選択することで移行）を備え、ホストコンピュータ４からリアルタイム（多数いる他のユーザが予定情報をデータベース５に保存する度にユーザの予定情報の条件と合致するか検証する）で送信されるユーザの予定情報の条件と合致する他ユーザの予定情報を受信し、受信した他ユーザの予定情報の一部（表２の開始年月日、開始時間、終了年月日、終了時間）を一覧に表示する。他ユーザの予定情報（表２の開始年月日、開始時間、終了年月日、終了時間、メンバー、画像または動画、一言メッセージに限る）を確認するユーザインターフェース（前記他ユーザの予定情報一覧内の一予定情報を選択することで移行）を備え、そこで表示される画像または動画の上にユーザ情報内のユーザのプライバシーに関わる情報（表１の電話番号またはメールアドレス）を表示し、画像または動画の表示開始からわずかな時間で画像または動画を非表示にする。また、前記他ユーザの予定情報の確認のユーザインターフェースにおいて、他ユーザの予定情報の画像または動画の再表示の抑止、他ユーザへの予定共有の打診、および他ユーザからの予定共有の打診に対する応答を行う。
【００２６】図２のメッセージ通信部１３は、他ユーザとのメッセージ交換を行うユーザインターフェースを備え、ユーザが入力したメッセージをホストコンピュータ４を介して他ユーザに送信し、他ユーザからホストコンピュータ４を介して送られてきたメッセージを受信する。また、前記メッセージ交換を行うユーザインターフェースにおいて、送受信したメッセージを一まとめにして送受信した日時で昇順にソートし表示する。
【００２７】（実施例の構成図）
図１、図２を用いて、図３〜図１４の各ステップを説明する。
【００２８】図３は、ユーザ情報（表１）の登録処理の構成図である。
図４は、本発明の一実施例を示す予定情報（表２）の登録、および予定情報の条件に合う他ユーザの予定受信処理の構成図である。
図５は、図３、図４のユーザエージェント内部の処理の構成図である。
図６は、図３、図４の他ユーザエージェント内部の処理の構成図である。
【００２９】図３、図５、図６のステップ１０１において、ユーザがユーザ情報管理部１１で入力したユーザ情報をホストコンピュータ４に送信し、データベース５に保存する。
【００３０】図４、図５のステップ２０１において、ユーザが予定情報管理部１２で入力した予定情報をホストコンピュータ４に送信し、データベース５に保存する。
【００３１】図４、図６のステップ２０２において、他ユーザが予定情報管理部１２で入力した予定情報をホストコンピュータ４に送信し、データベース５に保存する。
【００３２】図４、図５、図６のステップ２０３において、ホストコンピュータ４はユーザの予定情報と条件が合致した他ユーザの予定情報を両者のユーザ端末１に送信し、ユーザ端末１の予定情報管理部１２は受信した他ユーザの予定情報を一覧として、端末上に表示する。予定情報同士の条件合致のルールは、「開始年月日」と「開始時間」から「終了年月日」と「終了時間」で区切られた時間の一部一致、「都道府県」、「街」、「場所または目的」の完全一致、「支払い」の相互希望一致（例：「１．おごる」と「３．おごられる」、「２．割り勘」と「２．割り勘」、「３．おごられる」と「１．おごる」）、互いの「メンバー」に対する「希望人数」、「希望性別」、「希望年齢」の条件一致である。
【００３３】図７は、本発明の一実施例を示す他ユーザ予定情報内の画像または動画の表示処理の構成図である。
図８は、図７のユーザエージェント内部の処理の構成図である。
【００３４】図７、図８のステップ３０１において、ユーザが予定情報管理部１２で他ユーザの予定情報を確認する際に、予定情報管理部１２はデータベース５の中にある画像または動画表示済み情報（表３）から、ユーザが確認しようとしている他ユーザの予定情報の、各予定情報を識別するための識別キーである、ユーザＩＤ、予定ＩＤを持ったデータの取得を試みる。取得ができれば、その、他ユーザの予定情報の画像または動画は以前に端末上に表示されたことがあるということなので、端末上に表示させない。取得ができなければ、その、他ユーザの予定情報の画像または動画はまだ一度も端末上に表示されていないということなので、端末上に表示させる。
【００３５】図８のステップ３０２において、ステップ３０１で他ユーザの予定情報の画像または動画を表示させることになった場合、予定情報管理部１２はユーザ情報管理部１１からユーザ情報の電話番号またはメールアドレスを取得し、表示する画像または動画の上に表示させる。その際、予定情報管理部１２は画像または動画をわずかな時間だけ表示し、すぐに非表示にする。
【００３６】図７、図８のステップ３０３において、予定情報管理部１２は、ステップ３０２で画像または動画が表示された他ユーザの予定情報の、各予定情報を識別するための識別キーであるユーザＩＤと予定ＩＤを、画像または動画表示済み情報（表３）としてホストコンピュータ４に送信し、データベース５に保存する。
【００３７】図９は、本発明の一実施例を示す他ユーザへの予定共有の打診、および他ユーザからの応答処理の構成図である。
図１０は、図９のユーザエージェント内部の処理の構成図である。
図１１は、図９の他ユーザエージェント内部の処理の構成図である。
【００３８】図９、図１０のステップ４０１において、ユーザ端末１の予定情報管理部１２が他ユーザ端末１への予定共有の打診をホストコンピュータ４に送信すると、ステップ４０２により、ホストコンピュータ４から他ユーザ端末１に転送され、他ユーザ端末１の予定情報管理部１２が予定共有の打診を受信する。
【００３９】図９、図１１のステップ４０３において、他ユーザ端末１の予定情報管理部１２がユーザ端末１への予定共有の打診に対する応答をホストコンピュータ４に送信すると、ステップ４０４により、ホストコンピュータ４からユーザ端末１に転送され、ユーザ端末１の予定情報管理部１２が予定共有の打診に対する応答を受信する。
【００４０】図１０、図１１のステップ４０５において、ステップ４０３、４０４で送信された応答がＯＫの場合は、予定情報管理部１２からメッセージ通信部１３にコントロールが移行する。
【００４１】図１２は、ユーザ間のメッセージ交換処理の構成図である。
図１３は、図１２のユーザエージェント内部の処理の構成図である。
図１４は、図１２の他ユーザエージェント内部の処理の構成図である。
【００４２】図１２、図１３のステップ５０１において、ユーザ端末１のメッセージ通信部１３が他ユーザ端末１へのメッセージをホストコンピュータ４に送信すると、ステップ５０２により、ホストコンピュータ４から他ユーザ端末１に転送され、他ユーザ端末１のメッセージ通信部１３がメッセージを受信する。
【００４３】図１２、図１４のステップ５０３において、他ユーザ端末１のメッセージ通信部１３がユーザ端末１へのメッセージをホストコンピュータ４に送信すると、ステップ５０４により、ホストコンピュータ４からユーザ端末１に転送され、ユーザ端末１のメッセージ通信部１３がメッセージを受信する。
【符号の説明】
【００４４】１      ユーザ端末、もしくは他ユーザ端末
２      ユーザエージェント
３      インターネット空間
４      ホストコンピュータ
５      データベース
１１    ユーザ情報管理部
１２    予定情報管理部
１３    メッセージ通信部
１０１  ユーザ端末１からデータベース５へのユーザ情報の保存
２０１  ユーザ端末１からデータベース５への予定情報の保存
２０２  他ユーザ端末１からデータベース５への予定情報の保存
２０３  ホストコンピュータ４から他ユーザ端末１へのユーザの予定情報と条件が合致した他ユーザの予定情報の送信
３０１  データベース５からユーザ端末１への他ユーザの予定情報の識別キーを持った画像または動画表示済み情報の読み込み
３０２  ユーザ情報管理部１１から予定情報管理部１２への電話番号またはメールアドレスの受け渡し
３０３  ユーザ端末１からデータベース５への他ユーザの予定情報の識別キーを持った画像または動画表示済み情報の保存
４０１  ユーザ端末１からホストコンピュータ４への他ユーザ端末１に対する予定共有の打診の送信
４０２  ホストコンピュータ４から他ユーザ端末１へのユーザ端末１から受け取った予定共有の打診の転送
４０３  他ユーザ端末１からホストコンピュータ４へのユーザ端末１からの予定共有の打診に対する応答の送信
４０４  ホストコンピュータ４からユーザ端末１への他ユーザ端末１から受け取った予定共有の打診に対する応答の転送
４０５  予定情報管理部１２からメッセージ通信部１３へのコントロールの移行
５０１  ユーザ端末１からホストコンピュータ４への他ユーザ端末１に対するメッセージの送信
５０２  ホストコンピュータ４から他ユーザ端末１へのユーザ端末１から受け取ったメッセージの転送
５０３  他ユーザ端末１からホストコンピュータ４へのユーザ端末１に対するメッセージの送信
５０４  ホストコンピュータ４からユーザ端末１への他ユーザ端末１から受け取ったメッセージの転送
【図１】
2019028963.tif 000006
【図２】
2019028963.tif 000007
【図３】
2019028963.tif 000008
【図４】
2019028963.tif 000009
【図５】
2019028963.tif 000010
【図６】
2019028963.tif 000011
【図７】
2019028963.tif 000012
【図８】
2019028963.tif 000013
【図９】
2019028963.tif 000014
【図１０】
2019028963.tif 000015
【図１１】
2019028963.tif 000016
【図１２】
2019028963.tif 000017
【図１３】
2019028963.tif 000018
【図１４】
2019028963.tif 000019